(57)【要約】【課題】小型化及び薄型化することが可能なアダプタ型ノイズフィルタを提供すること。【解決手段】ノイズフィルタＦ１は、外側にプラグが取り付けられたケース１を備える。ケース１はその内部空間に、棒状の第１及び第２のコア２、３と、第１及び第２のコアに巻回された第１及び第２のコイル４、５と、コンデンサ６と、第１及び第２の刃受け導体７ａ、７ｂを有するコンセント部７と、を収容する。第１及び第２のコア２、３は所定の方向でケース１の内部空間の両端に配置される。コンデンサ６及びコンセント部７は何れも、第１及び第２のコイル４、５の間に配置される。【選択図】  図２
2009206964.tif 000002
【特許請求の範囲】
【請求項１】
棒状の第１のコアと、
棒状の第２のコアと、
前記第１のコアに巻回された第１のコイルと、
前記第２のコアに巻回された第２のコイルと、
コンデンサと、
第１の刃受け導体及び第２の刃受け導体を有するコンセント部と、
前記第１及び第２のコア、前記第１及び第２のコイル、前記コンデンサ、並びに前記コンセント部をその内部空間に収容するケースと、
前記ケースの外側に取り付けられた第１及び第２の差し込み刃を有するプラグと、を備え、
前記第１のコイルは、その一端が前記コンセント部の前記第１の刃受け導体及び前記コンデンサの双方に接続され、且つ他端が前記プラグの前記第１の差し込み刃に接続され、
前記第２のコイルは、その一端が前記コンセント部の前記第１の刃受け導体及び前記コンデンサの双方に接続され、且つ他端が前記プラグの前記第２の差し込み刃に接続され、
前記第１及び第２のコアは所定の方向で前記ケースの前記内部空間の両端に配置されており、
前記コンデンサ及び前記コンセント部は何れも、前記第１及び第２のコイルの間に配置されているアダプタ型ノイズフィルタ。
【請求項２】
前記第１及び第２のコイルは、その巻回方向が同一である請求項１に記載のアダプタ型ノイズフィルタ。
【請求項３】
前記第１及び第２のコアは、平行であって、且つ当該第１及び第２のコアの長手方向に直交する方向で見たときに重なる部分を有する請求項１又は２に記載のアダプタ型ノイズフィルタ。
【請求項４】
前記第１及び第２のコアの長手方向に直交する前記方向で見たときに、前記コンデンサが前記第１及び第２のコアの重なる部分の範囲内に配置されている請求項３に記載のアダプタ型ノイズフィルタ。
【請求項５】
前記第１及び第２のコアの長手方向に直交する前記方向で見たときに、前記コンセント部が前記第１及び第２のコアが重なる部分の範囲内に配置されている請求項３又は４に記載のアダプタ型ノイズフィルタ。
【請求項６】
前記第１及び第２のコイルのインダクタンス値の合計Ｌと前記コンデンサの静電容量値Ｃとの積Ｌ×Ｃが、１×１０−１２以下である請求項１〜５の何れか一項に記載のアダプタ型ノイズフィルタ。
【発明の詳細な説明】
【技術分野】
【０００１】
本発明は、アダプタ型ノイズフィルタに関するものである。
【背景技術】
【０００２】
従来、商用電源と電気機器との間に挿入されるアダプタ型ノイズフィルタが知られている（例えば、特許文献１参照）。特許文献１に記載のアダプタ型ノイズフィルタは、プラグ及びコンセント部を備え、プラグを介して商用電源に接続され、コンセント部を介して電気機器に接続される。
【特許文献１】特開平１０−６５５８３号公報
【発明の開示】
【発明が解決しようとする課題】
【０００３】
本発明は、小型化及び薄型化することが可能なアダプタ型ノイズフィルタを提供することを課題とする。
【課題を解決するための手段】
【０００４】
ところで、コンデンサ及びコイルを備えるノイズフィルタにおいて、コイルを巻回するコアとしてトロイダルコア又は棒状コアを用いることができる。しかしながら、トロイダルコアを用いた場合、材料及び巻線方法等に起因して、コストを抑制することが困難になってしまう。さらに、トロイダルコアでは、その内側にコンデンサ等の素子を配置することができず、トロイダルコアの外径によって占められる面積を有効に利用することが困難である。
【０００５】
これに対し、本願発明者は、棒状のコアを用いることでコストを抑制することが可能となることを見出した。さらに、本願発明者は、コアが棒状の場合、縦長に延びる棒状コアによって画成される空間を利用してコンデンサ等の素子を配置することができるため、より一層の小型化、薄型化ができるという事実を見出すに至った。
【０００６】
かかる研究結果を踏まえ、本発明に係るアダプタ型ノイズフィルタは、棒状の第１のコアと、棒状の第２のコアと、前記第１のコアに巻回された第１のコイルと、前記第２のコアに巻回された第２のコイルと、コンデンサと、第１の刃受け導体及び第２の刃受け導体を有するコンセント部と、前記第１及び第２のコア、前記第１及び第２のコイル、前記コンデンサ、並びに前記コンセント部をその内部空間に収容するケースと、前記ケースの外側に取り付けられた第１及び第２の差し込み刃を有するプラグと、を備え、前記第１のコイルは、その一端が前記コンセント部の前記第１の刃受け導体及び前記コンデンサの双方に接続され、且つ他端が前記プラグの前記第１の差し込み刃に接続され、前記第２のコイルは、その一端が前記コンセント部の前記第１の刃受け導体及び前記コンデンサの双方に接続され、且つ他端が前記プラグの前記第２の差し込み刃に接続され、前記第１及び第２のコアは所定の方向で前記ケースの前記内部空間の両端に配置されており、前記コンデンサ及び前記コンセント部は何れも、前記第１及び第２のコイルの間に配置されていることを特徴とする。
【０００７】
上記のアダプタ型ノイズフィルタでは、コイルを巻回するコアとして棒状のコアを用いている。そのため、コストを抑制することが可能である。また、棒状である第１及び第２のコアを、ケース内の空間の両端に配置することで、第１及び第２のコアの間の空間を有効に利用することが可能となる。また、コンデンサ及びコンセント部は何れも、棒状コアに巻回された第１及び第２のコイルの間に配置されている。このように、上記のアダプタ型ノイズフィルタでは、棒状に伸びるコアの形状に基づいて配置を工夫しケース内部の空間を有効に利用している。その結果、上記のアダプタ型ノイズフィルタは小型化、薄型化が可能となる。
【０００８】
第１及び第２のコイルは、その巻回方向が同一であることが好ましい。この場合、第１及び第２のコイルの間の空間において互いに打ち消し合うような磁界が各コイルによって発生され得る。
【０００９】
第１及び第２のコアは、平行であって、且つ当該第１及び第２のコアの長手方向に直交する方向で見たときに重なる部分を有することが好ましい。これにより、アダプタ型ノイズフィルタのより一層の小型化、薄型化が可能になる。
【００１０】
この場合、前記第１及び第２のコアの長手方向に直交する前記方向で見たときに、前記コンデンサが前記第１及び第２のコアの重なる部分の範囲内に配置されていることが好ましい。また、第１及び第２のコアの長手方向に直交する前記方向で見たときに、前記コンセント部が前記第１及び第２のコアが重なる部分の範囲内に配置されていることが好ましい。より一層の小型化、薄型化が可能になる。
【００１１】
前記第１及び第２のコイルのインダクタンス値の合計Ｌと前記コンデンサの静電容量値Ｃとの積Ｌ×Ｃが、１×１０−１２以下であることが好ましい。この場合、高周波の減衰特性を向上させることができる。
【発明の効果】
【００１２】
本発明によれば、小型化及び薄型化することが可能なアダプタ型ノイズフィルタを提供することができる。
【発明を実施するための最良の形態】
【００１３】
以下、添付図面を参照して、好適な実施形態について詳細に説明する。なお、説明において、同一要素又は同一機能を有する要素には、同一符号を用いることとし、重複する説明は省略する。
【００１４】
図１及び図２を参照して、実施形態に係るノイズフィルタＦ１の構成について説明する。図１は実施形態に係るノイズフィルタの斜視図、図２は図１に示したノイズフィルタのII−II矢印断面構成を説明するための図である。
【００１５】
ノイズフィルタＦ１は、図１に示されるように、ケース１と、当該ケース１の外側に取り付けられたプラグ８とを備える。ノイズフィルタＦ１は、アダプタ型のノイズフィルタである。
【００１６】
ケース１は、絶縁性材料で直方体状の外枠が形成されており、内部には外枠により空間が画成されている。ケース１は、直方体形状を呈し、６つの側面のうち一対の最も面積が広い側面の一方である側面１ｃに、プラグ８が取り付けられている。また、ケース１の一対の最も面積が広い側面を連結するように、当該側面の長辺方向に伸びる側面１ｄに２つの長方形状の貫通孔１ａ、１ｂが形成されている。ケース１は、例えば側面１ｃの短手方向の辺の長さが４６ｍｍ、長手方向の辺の長さが７０ｍｍ、側面１ｄの短手方向の辺の長さが１８ｍｍ程度の大きさとすることができる。
【００１７】
貫通孔１ａ、１ｂは、側面１ｄの長手方向の中央付近に、長手方向に沿って並ぶように形成されている。貫通孔１ａ、１ｂは、長方形状の貫通孔１ａ、１ｂの長手方向と、側面１ｄの長手方向とが直交するように配置される。
【００１８】
プラグ８は、導体からなる第１及び第２の差し込み刃８ａ、８ｂを有する。第１及び第２の差し込み刃８ａ、８ｂは、側面１ｃの長手方向の中央付近であって、短手方向で側面１ｄとは反対側付近に形成されている。第１及び第２の差し込み刃８ａ、８ｂは、側面１ｃの長手方向に沿って並んで形成されている。第１及び第２の差し込み刃８ａ、８ｂはそれぞれ、側面１ｃと直交する方向であって且つ側面１ｃからケース１の外側に向かう方向に伸びている。プラグ８は、第１及び第２の差し込み刃８ａ、８ｂを電源プラグに挿入可能な形状を呈する。
【００１９】
ケース１の内部空間には、図２に示されているように、第１及び第２のコア２、３、第１及び第２のコイル４、５、コンデンサ６、並びにコンセント部７が収容されている。
【００２０】
第１及び第２のコア２、３は、棒状を呈する。第１及び第２のコア２、３はケース１の側面１ｃの長手方向でケース１の内部空間の両端に配置されている。棒状の第１及び第２のコア２、３は、その軸方向（長手方向）がケース１の側面１ｃの短辺方向と平行になるように配置される。
【００２１】
第１及び第２のコア２、３は、平行である。第１及び第２のコア２、３は、第１及び第２のコア２、３の軸方向に直交する方向、すなわちケース１の側面１ｃの長手方向に沿って見たときに重なる部分を有する。この際、第１及び第２のコア２、３の軸方向に直交する方向で見たときに、第１及び第２のコア２、３の両端部の位置が一致するように配置してもよい。
【００２２】
第１のコイル４が、第１のコア２に巻回されている。第２のコイル５が、第２のコア３に巻回されている。第１及び第２のコイル４、５は、その巻回方向が同一方向である。
【００２３】
コンデンサ６は、第１及び第２のコイル４、５の間に配置されている。具体的には、コンデンサ６は、第１及び第２のコア２、３の長手方向に直交する方向、すなわちケース１の側面１ｃの長手方向で見たときに、第１及び第２のコア２、３の重なる部分の範囲内に配置されている。コンデンサ６は、第１及び第２のコア２、３の長手方向に沿った方向、すなわちケース１の側面１ｃの短手方向で見たときに、後述のコンセント部７とプラグ８との間に位置する。
【００２４】
コンセント部７は、一対の第１の刃受け導体７ａ、７ｂ及び一対の第２の刃受け導体７ｃ、７ｄを有する。第１の刃受け導体７ａ、７ｂは、ケース１の貫通孔１ａの下部（ケース１の内部）に配置される。その際、一対の第１の刃受け導体７ａ、７ｂは、貫通孔１ａ内に挿入されたプラグの差し込み刃等を挟み込んで支持するように配置される。
【００２５】
第２の刃受け導体７ｃ、７ｄは、ケース１の貫通孔１ｂの下部（ケース１の内部）に配置される。その際、一対の第２の刃受け導体７ｃ、７ｄは、貫通孔１ｂ内に挿入されたプラグの差し込み刃等を挟み込んで支持するように配置される。
【００２６】
コンセント部７はまた、第１及び第２のコイル４、５の間に配置されている。具体的には、コンセント部７は、第１及び第２のコア２、３の長手方向に直交する方向、すなわちケース１の側面１ｃの長手方向で見たときに、第１及び第２のコア２、３が重なる部分の範囲内に配置される。
【００２７】
プラグ８の第１及び第２の差し込み刃８ａ、８ｂには、当該第１及び第２の差し込み刃８ａ、８ｂに直交するように折り曲げられた第１及び第２の支持部８ｃ、８ｄが一体的に形成されている。
【００２８】
第１のコイル４は、その一端４ａから伸びる導線１１及びコンセント部７の第１の刃受け導体７ａ、７ｂに接続された導体１２を介して、コンセント部７の第１の刃受け導体７ａ、７ｂに接続される。第１のコイル４はまた、コンデンサ６と導体１２とを接続する導線１３、導線１１、及び導体１２を介して、コンデンサ６に接続される。第１のコイル４はさらに、その他端４ｂから伸びる導線１４を介して、プラグ８の第１の支持部８ｃに接続される。
【００２９】
すなわち、第１のコイル４は、その一端がコンセント部７の第１の刃受け導体７ａ、７ｂ及びコンデンサ６の双方に接続され、且つ他端がプラグ８の第１の差し込み刃８ａに接続されている。
【００３０】
第２のコイル５は、その一端５ａから伸びる導線２１及びコンセント部７の第２の刃受け導体７ｃ、７ｄに接続された導体２２を介して、コンセント部７の第２の刃受け導体７ｃ、７ｄに接続される。第２のコイル５はまた、コンデンサ６と導体２２とを接続する導線２３、導線２１、及び導体２２を介して、コンデンサ６に接続される。第２のコイル５はさらに、その他端５ｂから伸びる導線２４を介して、プラグ８の第２の支持部８ｄに接続される。
【００３１】
すなわち、第２のコイル５は、その一端がコンセント部７の第２の刃受け導体７ｃ、７ｄ及びコンデンサ６の双方に接続され、且つ他端がプラグ８の第２の差し込み刃８ｂに接続されている。
【００３２】
ノイズフィルタＦ１は、アダプタ型のノイズフィルタであり、電力線搬送通信（Power Line Communications：ＰＬＣ）に用いることができる。電力線搬送通信は、電力供給のための電力線を用い、商用電源周波に重畳させてデータ伝送するもので、モデムを各家庭のＡＣ１００Ｖ電源に接続してシステムを構成している。電力線搬送通信を行う際、例えば、電力線に配置される電源コンセント装置に家庭用電気機器（ドライヤ等）を接続すると、電力線に生じるインピーダンスロス及びノイズの影響により通信速度が低下してしまう。そのため、アダプタ型ノイズフィルタを用いて、電力線に対する電気機器のインピーダンス及びノイズの影響を抑制することが求められている。ノイズフィルタＦ１は、例えば、コンセント部７に例えばドライヤ等の電気機器のプラグを挿入し、プラグ８を電源コンセントに挿入して用いる。
【００３３】
ノイズフィルタＦ１では、図３に示されるように、コンデンサ６によって得られる静電容量Ｃ１と、第１のコイル４によって得られるインダクタンスＬ１と、第２のコイル５によって得られるインダクタンスＬ２とが形成される。図３は、本実施形態に係るノイズフィルタＦ１の等価回路図である。
【００３４】
ノイズフィルタＦ１は、図３に示されているように、電気機器が接続されるコンセント部７と電源コンセントに接続されるプラグ８との間に、インダクタンスＬ１、Ｌ２と静電容量Ｃ１とによって構成されるＬＣフィルタが取り付けられたＬＣフィルタ内蔵電源コンセント装置として機能する。
【００３５】
図３の等価回路図から理解されるように、第１のコイル４は、そのプラグ８側（コイル４の他端４ｂ側）で、プラグ８の第１の差し込み刃８ａに直列に接続される。したがって、第１のコイル４は、プラグ８の第１の差し込み刃８ａが接続される電源コンセント装置の電圧線端子又は中性子線端子に直列に接続されることとなる。第１のコイル４は、そのコンセント部７側（コイル４の一端４ａ側）で、並列に接続されたコンデンサ６及びコンセント部７の第１の刃受け導体７ａ、７ｂに直列に接続される。
【００３６】
第２のコイル５は、そのプラグ８側（コイル４の他端４ｂ側）で、プラグ８の第２の差し込み刃８ｂに直列に接続される。したがって、第２のコイル５は、プラグ８の第２の差し込み刃８ｂが接続される電源コンセント装置の電圧線端子又は中性子線端子に直列に接続されることとなる。第２のコイル５は、そのコンセント部７側（コイル４の一端４ａ側）で、並列に接続されたコンデンサ６及びコンセント部７の第２の刃受け導体７ｃ、７ｄに直列に接続される。
【００３７】
ノイズフィルタＦ１では、コイルを巻回するコアとして棒状の第１及び第２のコア２、３を用いている。そのため、トロイダルコアを用いる場合に比べて、コストを抑制可能な材料を用いることができ、またコイルを巻くのに自動巻線を行うことが可能である。よってノイズフィルタＦ１では、トロイダルコアを用いる場合に比べて、コストの抑制が可能となる。
【００３８】
また、棒状の第１及び第２のコア２、３を、ケース１内の空間の両端に配置することで、第１及び第２のコア２、３の間の空間を有効に利用することが可能となる。そして、コンデンサ６及びコンセント部７を何れも、第１及び第２のコア２、３に巻回された第１及び第２のコイル４、５の間に配置することで、棒状コアの配置の工夫によって得られた内部空間を有効に利用している。
【００３９】
すなわち、棒状である第１及び第２のコア２、３は、その形状からの当然の帰結として、軸方向に長さを有することとなる。そこで、ノイズフィルタＦ１では、その長さ方向の範囲内にコンデンサ６及びコンセント部７等の素子を配置してしまうことで、コアの長さ以上にノイズフィルタＦ１が大きくなることを抑制している。
【００４０】
このように、ノイズフィルタＦ１では、棒状に伸びる第１及び第２のコア２、３の形状に基づいてその配置を工夫し、ケース１内部の空間を有効に利用している。その結果、ノイズフィルタＦ１は小型化、薄型化が可能となる。
【００４１】
ノイズフィルタＦ１では、第１及び第２のコア２、３が、平行であって、且つ第１及び第２のコア２、３の長手方向に直交する方向で見たときに重なる部分を有している。すなわち、ケース１の側面１ｃの辺であって且つ側面１ｄに直交する辺の長さを、第１のコア２の軸方向の長さと第２のコア３の軸方向の長さとの和以下の長さにすることできる。そのため、ノイズフィルタＦ１のより一層の小型化、薄型化が可能になる。
【００４２】
特に、ノイズフィルタＦ１では、第１及び第２のコア２、３の軸方向に直交する方向で見たときに、コンデンサ６が第１及び第２のコア２、３の重なる部分の範囲内に配置されている。ノイズフィルタＦ１ではさらに、第１及び第２のコア２、３の軸方向に直交する方向で見たときに、コンセント部７が第１及び第２のコア２、３が重なる部分の範囲内に配置されている。そのため、より一層の小型化、薄型化が可能になる。
【００４３】
ノイズフィルタＦ１では、第１及び第２のコイル４、５の巻回方向は同一である。この場合、第１及び第２のコイル４、５の間の空間において互いに打ち消し合うような磁界が各コイル４、５によって発生され得る。
【００４４】
特に、ノイズフィルタＦ１では、上述したように、第１及び第２のコア２、３が、平行であって、且つ第１及び第２のコア２、３の長手方向に直交する方向で見たときに重なる部分を有している。そして、第１及び第２のコイル４、５の間にコンデンサ６及びコンセント部７が配置されている。そのため、図４に示すように、第１のコイル４によって発生する磁界と第２のコイル５によって発生する磁界とが、コンデンサ６の位置（及びコンデンサ部７の位置）で互いを好適に打ち消し合うことになる。そのため、ノイズフィルタＦ１では、第１及び第２のコイル４、５からの漏れ磁束によるコンデンサ６及びコンセント部７への影響が抑制される。その結果、漏れ磁束によるノイズフィルタＦ１の減衰特性の低下が好適に抑制される。図４は、ノイズフィルタＦ１において、第１及び第２のコイル４、５によって発生する磁界とコンデンサ６との関係を示す図である。
【００４５】
なお、第１のコイル４のインダクタンスＬ１と第２のコイル５のインダクタンスＬ２との合計Ｌと、コンデンサ６の静電容量値Ｃ１との積Ｌ×Ｃ１が、１×１０−１２以下であることが好ましい。これは、周波数２ＭＨｚの時のノイズフィルタＦ１のインピーダンスが５０Ω以上となるように、第１及び第２のコイル４、５のインダクタンスの合計を４μＨ以上とすることで得られる。また、このときのカットオフ周波数は、１５９ｋＨｚ以上である。この場合、ノイズフィルタＦ１では、高周波の減衰特性をさらに向上させることが可能となる。
【００４６】
さらには、第１のコイル４のインダクタンスＬ１と第２のコイル５のインダクタンスＬ２との合計Ｌと、コンデンサ６の静電容量値Ｃ１との積Ｌ×Ｃ１が、０．５×１０−１２以下であることがより好ましい。これは、周波数２ＭＨｚの時のノイズフィルタＦ１のインピーダンスが１００Ω以上となるように、第１及び第２のコイル４、５のインダクタンスの合計を８μＨ以上とすることで得られる。また、このときのカットオフ周波数は、２２５ｋＨｚ以上である。この場合、ノイズフィルタＦ１では、高周波の減衰特性をさらに一層向上させることが可能となる。
【００４７】
続いて、図５に基づいて、本実施形態の変形例に係るノイズフィルタＦ１Ａについて説明する。本変形例に係るノイズフィルタＦ１Ａは、第１のコイル４の巻回方向と第２のコイル５の巻回方向とが異なる点で、上述した実施形態に係るノイズフィルタＦ１と異なる。図５は、本実施形態の変形例に係るノイズフィルタＦ１Ａの断面構成を説明するための図である。
【００４８】
変形例に係るノイズフィルタＦ１Ａでは、本実施形態に係るノイズフィルタＦ１同様、第１及び第２のコア２、３が、平行であって、且つ第１及び第２のコア２、３の長手方向に直交する方向で見たときに重なる部分を有している。そして、第１及び第２のコイル４、５の間にコンデンサ６が配置されている。そのため、図６に示すように、第１のコイル４によって発生する磁界と第２のコイル５によって発生する磁界とが、コンデンサ６の位置で強め合ってしまう。図６は、ノイズフィルタＦ１Ａにおいて、第１及び第２のコイル４、５によって発生する磁界とコンデンサ６との関係を示す図である。
【００４９】
ここで、図７に、ノイズフィルタＦ１、Ｆ１Ａの実施例それぞれの減衰特性を示す。図７のグラフでは、横軸が周波数（ＭＨｚ）を表し、縦軸が減衰量（ｄＢ）を表す。図７のグラフＧ１が、ノイズフィルタＦ１の実施例の減衰特性を表し、グラフＧ２が、ノイズフィルタＦ１Ａの実施例の減衰特性を表す。
【００５０】
図７のグラフＧ１、Ｇ２から明らかなように、ノイズフィルタＦ１、Ｆ１Ａの実施例では、近年通信の高速化に対応するために使用が普及してきている２ＭＨｚ〜３０ＭＨｚの周波数帯域において、好適な減衰特性を示す。また、図７のグラフＧ１から明らかなように、ノイズフィルタＦ１の実施例では、高周波の減衰特性がより一層向上されている。
【００５１】
次に、図８に、ノイズフィルタＦ１、Ｆ１Ａの実施例それぞれのインピーダンス特性を示す。図８のグラフでは、横軸が周波数（ＭＨｚ）を表し、縦軸が電源端子側、すなわちプラグ８側のインピーダンス（Ω）を表す。図８のグラフＧ３（実線）が、ノイズフィルタＦ１の実施例のインピーダンス特性を表し、グラフＧ４（点線）が、ノイズフィルタＦ１Ａの実施例のインピーダンス特性を表す。
【００５２】
図８のグラフＧ３、Ｇ４から明らかなように、ノイズフィルタＦ１、Ｆ１Ａの実施例では、インピーダンスロスが好適に抑制されている。また、図８のグラフＧ３から明らかなように、ノイズフィルタＦ１の実施例では、高周波でのインピーダンスロスがより一層抑制されている。
【００５３】
以上、本発明の好適な実施形態について説明してきたが、本発明は必ずしも上述した実施形態に限定されるものではなく、その要旨を逸脱しない範囲で様々な変更が可能である。
【００５４】
例えば、第１及び第２のコア２、３は、ケース１の内部において、側面１ｃの短手方向の両端に配置されていてもよい。
【００５５】
また、コンデンサ６は、第１及び第２のコア２、３の長手方向に直交する方向で見たときに、第１及び第２のコア２、３の重なる部分の範囲内に配置されていなくてもよい。コンセント部７は、第１及び第２のコア２、３の長手方向に直交する方向で見たときに、第１及び第２のコア２、３の重なる部分の範囲内に配置されていなくてもよい。
【００５６】
また、第１及び第２のコア２、３は、平行でなくてもよい。また、第１及び第２のコア２、３は、その長手方向に直交する方向で見たときに重なる部分を有していなくてもよい。
【００５７】
また、ノイズフィルタＦ１は、電力線搬送通信以外に用いてもよい。
【図面の簡単な説明】
【００５８】
【図１】実施形態に係るノイズフィルタの斜視図である。
【図２】図１に示したノイズフィルタのII−II矢印断面構成を説明するための図である。
【図３】本実施形態に係るノイズフィルタの等価回路図である。
【図４】本実施形態に係るノイズフィルタにおいて、第１及び第２のコイルで発生する磁界とコンデンサとの関係を示す図である。
【図５】本実施形態の変形例に係るノイズフィルタの断面構成を説明するための図である。
【図６】実施形態の変形例に係るノイズフィルタにおいて、第１及び第２のコイルで発生する磁界とコンデンサとの関係を示す図である。
【図７】実施例の減衰特性を表すグラフである。
【図８】実施例のインピーダンス特性を表すグラフである。
【符号の説明】
【００５９】
Ｆ１、Ｆ１Ａ…ノイズフィルタ、１…ケース、２…第１のコア、３…第２のコア、４…第１のコイル、５…第２のコイル、６…コンデンサ、７…コンデンサ部、７ａ、７ｂ…第１の刃受け導体、７ｃ、７ｄ…第２の刃受け導体、８…プラグ、８ａ…第１の差し込み刃、８ｂ…第２の差し込み刃。
【図１】
2009206964.tif 000003
【図２】
2009206964.tif 000004
【図３】
2009206964.tif 000005
【図４】
2009206964.tif 000006
【図５】
2009206964.tif 000007
【図６】
2009206964.tif 000008
【図７】
2009206964.tif 000009
【図８】
2009206964.tif 000010